(57)【要約】【課題】イヤホン本体上に位置する外部チューブを備える多重チャネル・イヤホンを提供する。【解決手段】イヤホンはケース、ケース拡張ユニットおよびカバーを含む。主音場は、ケース、ケース拡張ユニットおよびカバーが囲む内部チャンバ内に形成される。外部チューブ内の空間の調整により音場の空間効果が有意に増大する。ある実施形態では、一方が内部チャンバ内に位置し、他方が外部チューブ内に位置する少なくとも２つのサブスピーカが同じ音源に結合する。このような配置により、イヤホンの音場は音質をよりよくするために、相互に離れて位置するこれら２つのサブスピーカからの音響によりバランスがとられる。角度または物理的位置を考慮して、同じ音源に結合するこれらサブスピーカを配置することにより、イヤホンの音場が広がり、もっと充実する。ある実施形態では、イヤホン本体上に外部チューブを配置することにより、イヤホンの音場は２つの物理的に分離した音場に分離される。【選択図】      図３（Ａ）
2005278177.tif 000002
【特許請求の範囲】
【請求項１】
イヤホン構造であって、
主チャンバを形成しているケース、カバーおよびケース拡張ユニットを備えるイヤホン本体と、
メインスピーカと複数のサブスピーカとを備え、前記メインスピーカおよび前記サブスピーカのうちのいくつかが前記ケース内に位置し、さらに、
前記イヤホン本体上に位置する第１の外部チューブを備え、前記イヤホン構造内に形成された音場が、前記第１の外部チューブ内の空間を調整することによりさらに調整されることを特徴とするイヤホン構造。
【請求項２】
前記第１の外部チューブは、前記イヤホン本体の前記ケース拡張ユニット上に位置することを特徴とする、請求項１に記載のイヤホン構造。
【請求項３】
前記第１の外部チューブは、前記イヤホン本体の前記ケース上に位置していて、前記イヤホン構造内部の合成チャンバから延びることを特徴とする、請求項１に記載のイヤホン構造。
【請求項４】
前記サブスピーカのうちの１つは、前記第１の外部チューブ上に位置することを特徴とする、請求項１に記載のイヤホン構造。
【請求項５】
前記第１の外部チューブ内の空間は、前記第１の外部チューブの長さを変化させることにより調整されることを特徴とする、請求項１に記載のイヤホン構造。
【請求項６】
前記第１の外部チューブ内の空間は、前記第１の外部チューブを折り曲げることにより調整されることを特徴とする、請求項１に記載のイヤホン構造。
【請求項７】
前記イヤホン構造内に形成された前記音場を調整するために、前記イヤホン本体上に位置する第２の外部チューブをさらに備えることを特徴とする、請求項１に記載のイヤホン構造。
【請求項８】
前記第２の外部チューブは、前記イヤホン本体の前記ケース拡張ユニット上に位置することを特徴とする、請求項７に記載のイヤホン構造。
【請求項９】
前記第２の外部チューブは、前記イヤホン本体の前記ケース上に位置することを特徴とする、請求項７に記載のイヤホン構造。
【請求項１０】
前記第２の外部チューブ内の空間を調整することにより、前記イヤホン構造内に形成された前記音場を調整する前記方法は、前記第２の外部チューブの長さを変化させることであることを特徴とする、請求項７に記載のイヤホン構造。
【請求項１１】
前記第２の外部チューブ内の空間を調整することにより、前記イヤホン構造内に形成された前記音場を調整する前記方法は、前記第２の外部チューブを折り曲げることであることを特徴とする、請求項７に記載のイヤホン構造。
【請求項１２】
前記サブスピーカのうちの２つは同じ音源に結合していて、一方は前記イヤホン本体内に位置していて、他方は前記イヤホン本体の外部の前記第１の外部チューブ上に結合することを特徴とする、請求項１に記載のイヤホン構造。
【請求項１３】
前記２つのサブスピーカは、同じ音源に並列に結合していることを特徴とする、請求項１２に記載のイヤホン構造。
【請求項１４】
前記２つのサブスピーカは、同じ音源に直列に結合していることを特徴とする、請求項１２に記載のイヤホン構造。
【請求項１５】
前記サブスピーカのうちの３つは同じ音源に結合していて、そうしたい場合には、前記イヤホン本体内および前記イヤホン本体に外部で結合している前記第１の外部チューブ上に位置することを特徴とする、請求項１に記載のイヤホン構造。
【請求項１６】
前記３つのサブスピーカは、同じ音源に並列に結合していることを特徴とする、請求項１５に記載のイヤホン構造。
【請求項１７】
前記３つのサブスピーカは、同じ音源に直列に結合していることを特徴とする、請求項１５に記載のイヤホン構造。
【請求項１８】
前記イヤホン本体上に結合しているチューブと、
前記チューブの一番外側の縁部上に位置する内部チャンバと、をさらに備え、共振空洞が前記内部チャンバ内に形成され、前記共振空洞内の音波が、空気媒体と一緒に前記イヤホン本体内の音場に送られることを特徴とする、請求項１に記載のイヤホン構造。
【請求項１９】
前記共振空洞を調整するために、前記内部チャンバのケース上に結合している湾曲チューブをさらに備えることを特徴とする、請求項１８に記載のイヤホン構造。
【請求項２０】
前記湾曲チューブの角度は１０乃至１８０度であることを特徴とする、請求項１９に記載のイヤホン構造。
【請求項２１】
前記湾曲チューブの角度は９０度であることを特徴とする、請求項１９に記載のイヤホン構造。
【請求項２２】
前記サブスピーカのうちの１つは、前記湾曲チューブの外縁部上に位置することを特徴とする、請求項１９に記載のイヤホン構造。
【請求項２３】
イヤホン構造であって、
主チャンバを形成しているケース、カバーおよびケース拡張ユニットを備えるイヤホン本体と、
メインスピーカと複数のサブスピーカとを備え、前記メインスピーカおよび前記サブスピーカのうちのいくつかは前記ケース内に位置していて、前記サブスピーカのうちの２つは同じ音源に結合していることを特徴とするイヤホン構造。
【請求項２４】
イヤホン構造であって、
主チャンバを形成しているケース、カバーおよびケース拡張ユニットを備えるイヤホン本体と、
メインスピーカと複数のサブスピーカとを備え、前記メインスピーカおよび前記サブスピーカのうちのいくつかは前記ケース内に位置していて、さらに、
前記イヤホン本体に結合しているチューブと、
前記チューブの一番外側の縁部上に位置する内部チャンバとを備え、共振空洞が前記内部チャンバ内に形成されていて、前記共振空洞内の音波が、空気媒体と一緒に前記イヤホン本体内の音場に送られることを特徴とするイヤホン構造。
【請求項２５】
前記共振空洞を調整するための前記内部チャンバのケース上に結合する湾曲チューブをさらに備えることを特徴とする、請求項２４に記載のイヤホン構造。
【請求項２６】
前記湾曲チューブの角度が１０乃至１８０度であることを特徴とする、請求項２５に記載のイヤホン構造。
【請求項２７】
前記湾曲チューブの角度は９０度であることを特徴とする、請求項２５に記載のイヤホン構造。
【請求項２８】
前記サブスピーカのうちの１つは、前記湾曲チューブの前記外側の縁部上に位置することを特徴とする、請求項２５に記載のイヤホン構造。
【発明の詳細な説明】
【技術分野】
【０００１】
本発明は、多重チャネル・イヤホンに係り、特に拡張音場を有する多重チャネル・イヤホンに関する。
【背景技術】
【０００２】
デジタル技術が継続的に進歩するにつれて、通常の人々の娯楽が次第にデジタル化されてきている。例えば、ＤＶＤ（デジタル多用途ディスクとも呼ぶデジタル・ビデオ・ディスク）プレーヤが、現在多くの家庭で非常に広く使用されている。ＤＶＤプレーヤは、基本的にドルビー・デジタルまたはデジタル・シアター・システム（ＤＴＳ）のような復号機能を提供するので、ＤＶＤプレーヤはデジタル信号を復号して、スピーカにアナログ信号を出力することができる。
【０００３】
多重チャネル・スピーカは、高品質のデジタルＡＶ娯楽プログラムを楽しむためには不可欠なデバイスで、５．１チャネル・スピーカは、多重チャネル・スピーカの基本的な構成要素である。
【０００４】
図１は、５．１チャネル・スピーカを備えるホーム・シアターの略図である。図１について説明すると、ＤＶＤプレーヤ１００がＡＶプログラムを再生している場合、ＤＶＤプレーヤ１００は、リスナーに対してリアルな情景を提供するために３Ｄ空間音響効果を生成する目的で、前の左スピーカ１０２ａおよび前の右スピーカ１０２ｂ、中央のスピーカ１０４、左のサラウンド・スピーカ１０６ａおよび右のサラウンド・スピーカ１０６ｂ、およびサブウーファ１０８に異なるオーディオ信号を供給する。
【０００５】
しかし、スピーカを使用するのが適当でないような（例えば、スピーカを使用すると他の人に迷惑になるというような）環境で音楽を聞くには、イヤホンを使用しなければならない。図２（Ａ）について説明すると、典型的なイヤホン２００ａは、両側にそれぞれスピーカ２１０を１つしか有していないので、リスナーは、ＤＶＤプレーヤが提供する多重チャネル音響効果を楽しむことができない。
【０００６】
それ故、従来技術は、その本体内に複数のスピーカを有するイヤホンを提案してきた。従来のイヤホン２００ｂは、その両側にそれぞれ主チャネル・スピーカ２０２、中央スピーカ２０４、およびサラウンド・スピーカ２０６を有する。特殊設計のプラグ２０８により、ＤＶＤプレーヤは、さらに、ホーム・シアター環境で５．１チャネル・スピーカの空間音響効果を生成するために、プラグ２０８を通して異なるスピーカに異なるチャネルのオーディオ信号を供給する。オーディオ信号の出力遅延は、従来のイヤホン２００ｂの場合には、デジタル的に（例えば、回路設計により）制御されるので、このようなイヤホンが供給する空間音響効果は優れたものではない。その音質は、図１に示すようなホーム・シアター環境で５．１チャネル・スピーカが供給する空間音響効果と比較した場合遥かに劣り、多重チャネル・サラウンド音響効果の音質および機能を供給することはできない。
【特許文献１】ＲＯＣ特許出願第９３１０７６２１号
【特許文献２】ＲＯＣ特許出願第９３１１１９８５号
【特許文献３】米国特許出願第１０／７０９，９５６号
【発明の開示】
【発明が解決しようとする課題】
【０００７】
それ故、本発明の１つの目的は、多重チャネル・イヤホンを提供することである。この多重チャネル・イヤホンは、音響効果の質を改善し、充実した音場および多重チャネル・サラウンド音響効果を提供する。
【課題を解決するための手段】
【０００８】
本発明の多重チャネル・イヤホンは、イヤホン本体上に位置する外部チャンバ・チューブまたは外部チューブを備える。イヤホンのケースおよびカバーは、一緒に内部チャンバを形成し、外部チューブ内の空間を調整することにより空間音響効果が改善される。
【０００９】
上記外部チャンバ・チューブまたは外部チューブを有するイヤホンの他に、本発明は、さらに、バランス音場の効果を有するイヤホンも提供する。バランス音場効果を有するイヤホンは、ＤＶＤプレーヤから５．１チャネル音源が供給する音源のうちの任意の１つを同時に２つ以上のスピーカに供給する。これら２つのスピーカのうちの一方は内部チャンバ内のスピーカ・ホルダ上に位置していて、他方は外部チューブ内に位置している。すなわち、少なくとも１つのスピーカは、イヤホンのケース内に位置していて、１つ以上のスピーカは本体に結合している外部チューブ上に位置する。このような配置になっているために、音場は、２つ以上のスピーカにより形成される。これらスピーカは、スピーカの音点および角度または物理的位置の違いに基づいて、同じ音源に結合していて、そのためこの音響信号が形成する音場が広くなり、もっと充実する。これら２つ以上のスピーカは、並列または直列に音響信号に結合することができる。別の方法としては、これら２つ以上のスピーカを異なる位置および異なる角度で配置することにより、異なるレベルの音場を形成することができる。
【００１０】
上記外部チャンバ・チューブを有するイヤホンの他に、本発明は、さらに、音場を分割する機能を有するイヤホンも提供する。このイヤホンの場合には、チューブは外部でイヤホン本体に結合していて、内部チャンバは外部チューブの最も外側の縁部上に形成されている。さらに、ＤＶＤプレーヤから５．１チャネル音源が供給する信号エンティティのうちの任意の１つが、内部チャンバ内で共振が起こるように、内部チャンバのケースに対して任意の方向または角度で配置されている。
【００１１】
本発明のもう１つの実施形態の場合には、チューブは、内部チャンバ内で共振が直接起こらないように、さらに内部チャンバのケース上に結合している。それ故、ＤＶＤプレーヤの５．１チャネルが供給する内部チャンバのケース上の音源は、５．１チャネルが形成する主音場から引き離される。すなわち、この実施形態のイヤホンにおいては、共振空洞は、本体のケースにより形成され、共振空洞内の音波は、外部チューブを通して空気媒体と一緒にケース内の主音場に送られる。
【００１２】
上記目的を達成するために、本発明はあるイヤホンを提供する。このイヤホンは、イヤホン本体と、メインスピーカと、複数のサブスピーカと、第１の外部チューブとを備える。この場合、イヤホン本体は、ケースと、カバーと、ケース拡張ユニットとを備えていて、これらの構成要素は一緒に主チャンバを形成する。メインスピーカおよびいくつかのサブスピーカはケース内に位置する。第１の外部チューブはイヤホン本体上に位置していて、イヤホン内に形成される音場の効果は、第１の外部チューブ内の空間を調整することにより調整される。第１の外部チューブは、ケースの拡張ユニット上、またはイヤホン本体のケース上に配置することができる。
【００１３】
上記イヤホンにおいては、サブスピーカのうちの１つを、そうしたい場合には、第１の外部チューブ上に配置することができる。
上記イヤホンにおいては、第１の外部チューブ内の空間は、第１の外部チューブの調整可能な長さおよび折り曲げることができる特性をうまく利用することにより調整される。
【００１４】
上記イヤホンにおいては、第２の外部チューブは、イヤホン内に形成された音場特性をさらに調整するために、さらに構成し、イヤホン本体上に配置することができる。第２の外部チューブ内の空間は、第２の外部チューブの調整可能な長さおよび折り曲げることができる特性をうまく利用することにより調整される。
【００１５】
上記イヤホンにおいては、２つ以上のサブスピーカが同じ音源に結合していて、これらスピーカをイヤホン本体内に選択的に配置することもできるし、またはイヤホン本体に外部で結合している第１の外部チューブ上に配置することもできる。サブスピーカは、同じ音源に直列または並列に結合している。
【００１６】
上記イヤホンは、さらに、チューブおよび内部チャンバを備える。この場合、チューブはイヤホン本体に結合している。内部チャンバは、内部チャンバ内で共振空洞を形成するためのチューブの最も外側の縁部上に位置していて、共振空洞内の音波は、チューブを通して空気媒体と一緒にケース内の音場に送られる。
【００１７】
上記イヤホンは、さらに、湾曲チューブを備える。湾曲チューブは、共振空洞を調整するために内部チャンバのケース上に結合していて、湾曲チューブの角度は１０乃至１８０度である。本発明のある実施形態の場合には、サブスピーカを湾曲チューブの外縁部上に配置することができる。
【００１８】
上記目的を達成するために、本発明はあるイヤホンを提供する。このイヤホンは、イヤホン本体と、メインスピーカと、複数のサブスピーカとを備える。この場合、イヤホン本体は、ケースと、カバーと、ケース拡張ユニットとを備えていて、これら構成要素は一緒に主チャンバを形成する。メインスピーカおよびサブスピーカはケース内に位置し、サブスピーカのうちの２つは、イヤホンがバランス音場を提供することができるように、同じ音源に結合している。
【００１９】
上記目的を達成するために、本発明はあるイヤホンを提供する。このイヤホンは、イヤホン本体と、メインスピーカと、複数のサブスピーカと、チューブと、内部チャンバとを備える。この場合、イヤホン本体は、ケースと、カバーと、ケース拡張ユニットとを備えていて、これら構成要素は一緒に主チャンバを形成する。メインスピーカおよびいくつかのサブスピーカはケース内に位置する。チューブはイヤホン本体上に結合していて、内部チャンバはチューブの一番外側の縁部上に位置する。共振空洞は内部チャンバ内に形成され、共振空洞内の音波はチューブを通して空気媒体と一緒にイヤホン本体内の音場に送られる。それ故、イヤホンは、音場を分割する機能を供給することができる。
【００２０】
上記イヤホンは、さらに、湾曲チューブを備える。湾曲チューブは、共振空洞を調整するために内部チャンバのケース上に結合していて、湾曲チューブの角度は１０乃至１８０度である。さらに、サブスピーカのうちの１つを湾曲チューブの外縁部上に配置することができる。
【００２１】
添付の図面は、本発明の理解を助けるためのものであり、本明細書に含まれていてその一部を構成する。図面は本発明の実施形態を示し、説明と一緒に本発明の原理を説明するためのものである。
【発明を実施するための最良の形態】
【００２２】
本発明は、イヤホン本体上に位置する外部チューブを有するイヤホンを提供する。イヤホン本体は、イヤホンのケースおよびカバーを備える。この場合、イヤホンのケースおよびカバーは、一緒に内部チャンバを形成し、空間音響効果は、外部チューブ内の空間を調整することにより改善される。外部チューブ内の空間は、外部チューブの長さを変化させるか、または外部チューブを折り曲げることにより調整される。本発明のある実施形態の場合には、ＤＶＤプレーヤが供給する５．１チャネル音源の信号エンティティのうちの任意の１つをイヤホン本体の内部チャンバから独立して引き出すことができ、内部チャンバ内の空間は、長さ−長さ調整可能な外部チューブが形成する内部チャンバの長さを変化させることにより調整される。外部チューブの長さが短ければ短いほど、それが全イヤホンで占める空間が小さくなる。外部チューブの長さが長ければ長いほど、全システムが提供する音場が広くなる。さらに、外部チューブの長さを長くすると、信号エンティティのうちの１つを、空間音響効果が改善されるように、独立して引き出して内部チャンバ上に配置することができる。
【００２３】
上記外部チャンバ・チューブを有するイヤホンの他に、本発明は、さらに、バランス音場の効果を有するイヤホンも提供する。バランス音響効果を有するイヤホンは、ＤＶＤプレーヤから５．１チャネル音源が供給する音源のうちの任意の１つを同時に２つ以上のスピーカに供給する。これら２つのスピーカのうちの一方は内部チャンバ内のスピーカ・ホルダ上に位置していて、他方は外部チューブ内に位置している。すなわち、少なくとも１つのスピーカは、イヤホンのケースの内部に位置していて、１つのスピーカはイヤホン本体に結合している外部チューブ上に位置する。このような配置になっているために、音場は、これら２つ以上のスピーカにより形成される。これらのスピーカは、スピーカの音点および角度または物理的位置の違いに基づいて同じ音源に結合していて、そのためこの音響信号が形成する音場が広くなり、もっと充実する。これら２つ以上のスピーカは、並列または直列に音響信号に結合することができる。２つ以上のスピーカを異なる位置または異なる角度で配置することにより、物理的音場が拡がり、音響がもっと充実する。
【００２４】
上記外部チャンバ・チューブを有するイヤホンの他に、本発明は、さらに、音場を分割する機能を有するイヤホンも提供する。このイヤホンにおいては、チューブは外部でイヤホン本体に結合していて、内部チャンバは外部チューブの最も外側の縁部上に形成されている。さらに、ＤＶＤプレーヤから５．１チャネル音源が供給する信号エンティティのうちの任意の１つは、内部チャンバ内で共振が起こるように、内部チャンバのケースに対して任意の方向または角度で配置されている。本発明の他の実施形態の場合には、湾曲チューブが、内部チャンバ内で共振が直接起こらないように、さらに内部チャンバのケース上に結合している。それ故、ＤＶＤプレーヤの５．１チャネルが供給する内部チャンバのケース上の音源は、５．１チャネルが形成する主音場から引き離される。すなわち、本発明のイヤホンにおいては、共振空洞は、本体のケースにより形成され、それ故、音場は音波の位相および周波数を変化させることにより分割され、共振空洞内の音波は、外部チューブを通して空気媒体と一緒にイヤホン本体内の主音場に送られる。
【００２５】
本発明の原理を説明するために、以下に複数の好ましい実施形態を例に挙げて説明する。これら実施形態は、本発明を説明するためのものであって、本発明の範囲を制限するためのものではないことに留意されたい。
【００２６】
図３（Ａ）は、本発明の好ましい実施形態によるイヤホン３００Ａの側面の概略部分分解断面図である。留意されたいのだが、図３（Ａ）は本発明のイヤホンの１つの側面しか示してないが、当業者であれば図示していないイヤホンの他の側面も図３（Ａ）に示すものと同じものであることを理解することができるだろう。それ故、ここでは詳細な説明は省略する。
【００２７】
図３（Ａ）について説明すると、イヤホン３００Ａは、イヤホン本体３１０およびコネクタ３２０を備える。この場合、コネクタ３２０は、イヤホン本体３１０をその両方の側面で接続するために使用される（この図には１つの側面しか図示していない）。イヤホン本体３１０は、主として、ケース３１１と、カバー３１３と、ケース拡張ユニット３１５とを備える。ケース拡張ユニット３１５は、実際に、ケース３１１の拡張ユニットであり、カバー３１３に結合している。イヤホン本体３１０は、さらに、メインスピーカ３３０および複数のサブスピーカ３４０、３５０、３６０Ａおよび３６０Ｂを備える。これらスピーカはイヤホン本体３１０内に位置する。さらに、イヤホン本体は、さらに、その上にサブスピーカ３５０および３６０Ｂが位置する外部チューブ３７５および３８５を備える。
【００２８】
すでに説明したように、イヤホン３００Ａ内には、イヤホン本体３１０のケース拡張ユニット３１５上に位置する１つの外部チューブ３７５だけを有することができる。イヤホン３００Ａのケース３１１、カバー３１３およびケース拡張ユニット３１５は、一緒に主チャンバを形成し、空間音響効果は外部チューブ３７５内の空間を調整することにより改善される。さらに、この実施形態の外部チューブ内の空間は、外部チューブの長さを変化させることにより調整される。
【００２９】
すでに説明したように、この実施形態のイヤホン３００Ａは、さらに、イヤホン本体３１０のケース拡張ユニット３１５上に位置するもう１つの外部チューブ３８５を備える。イヤホン３００Ａのケース３１１、カバー３１３、およびケース拡張ユニット３１５は、一緒に主チャンバを形成し、空間音響効果は、外部チューブ３８５内の空間を調整することにより改善される。この実施形態の場合には、この追加の外部チューブ３８５の長さは、一定の長さにすることもできるし、物理設計要件に基づいて調整することもできるし、折り曲げることもできる。
【００３０】
この実施形態のイヤホン３００Ａにおいては、図３（Ａ）のサブスピーカ３５０のようなＤＶＤプレーヤの５．１チャネルが供給する信号エンティティのうちの任意の１つを独立して引き出して、外部チューブ３７５上に設置することができ、長さを調整することができる外部チューブが形成する内部チャンバ内の空間は、外部チューブの長さを変化させることにより調整される。外部チューブの長さが短ければ短いほど、それがイヤホン３００Ａ内で占める空間は小さくなる。外部チューブの長さが長ければ長いほど、全イヤホン３００Ａが供給する音場の空間は広くなる。さらに、外部チューブの長さを長くすると、信号エンティティのうちの１つを、空間音響効果が改善されるように、独立して引き出して内部チャンバ上に配置することができる。この実施形態のイヤホン３００Ａの追加の外部チューブ３８５上において、図３（Ａ）のサブスピーカ３６０ＢのようなＤＶＤプレーヤの５．１チャネルが供給する信号エンティティのうちの任意の１つを独立して引き出し、外部チューブ３８５上に配置することができる。
【００３１】
上記外部チューブを有するイヤホン３００Ａの他に、本発明のもう１つの実施形態は、さらに、バランス音場の効果を有するイヤホン３００Ａも提供する。バランス音響効果を有するイヤホン３００Ａは、ＤＶＤプレーヤから５．１チャネル音源が供給する音源のうちの任意の１つを同時に２つ以上のスピーカに供給する。これら２つのスピーカのうちの一方は内部チャンバ内のスピーカ・ホルダ上に位置していて、他方のスピーカは外部チューブ内に位置している。例えば、サブスピーカ３６０Ａは、イヤホン３００Ａのケース３１１の内部に位置していて、他のサブスピーカ３６０Ｂは、イヤホン本体３１０に結合している外部チューブ３８５上に位置する。
【００３２】
このような配置になっているために、音場はこれら２つ以上のサブスピーカ３６０Ａおよび３６０Ｂにより形成される。これらのサブスピーカは、スピーカの音点および角度または物理的位置の違いに基づいて同じ音源に結合していて、そのためこの音響信号が形成する音場が広くなり、もっと充実する。これらサブスピーカ３６０Ａおよび３６０Ｂは、並列または直列に音響信号に結合することができる。別の方法としては、これら２つ以上のスピーカを異なる位置および異なる角度で配置することにより、異なるレベルの音場を形成することができる。
【００３３】
図３（Ｂ）は、本発明のもう１つの好ましい実施形態によるイヤホン３００Ｂの側面の概略部分分解断面図である。留意されたいのだが、図３（Ｂ）は本発明のイヤホンの１つの側面しか示してないが、当業者であれば図示していないイヤホンの他の側面も図３（Ｂ）に示すものと同じものであることを理解することができるだろう。それ故、ここでは詳細な説明は省略する。
【００３４】
図３（Ｂ）について説明すると、イヤホン３００Ｂは、イヤホン本体３１０およびコネクタ３２０を備える。この場合、コネクタ３２０は、イヤホン本体３１０を両方の側面で接続するために使用される（この図には１つの側面しか図示していない）。イヤホン本体３１０は、主として、ケース３１１と、カバー３１３と、ケース拡張ユニット３１５とを備える。ケース拡張ユニット３１５は、実際に、ケース３１１の拡張ユニットであり、カバー３１３に結合している。イヤホン本体３１０は、さらに、メインスピーカ３３０および複数のサブスピーカ３４０Ａ、３４０Ｂ、３５０および３６０を備える。これらのスピーカはイヤホン本体３１０内に位置する。サブスピーカ３４０Ｂおよび３５０は、それぞれ合成チャンバ３３３の両方の側壁上の外部チューブ３３５および３３７上に位置する。別の方法としては、サブスピーカ３４０Ｂおよび３５０を、それぞれ合成チャンバ３３３の両方の側壁上に直接配置することもできる。
【００３５】
さらに、この実施形態は、サブスピーカ３６０が位置する外部チューブ３７５を備える。２００４年３月２２日付けの同じ出願人の「合成音場を含むイヤホン構造」（ＥＡＲＰＨＯＮＥ  ＳＴＲＵＣＴＵＲＥ  ＷＩＴＨ  Ａ  ＣＯＭＰＯＳＩＴＥ  ＳＯＵＮＤ  ＦＩＥＬＤ）という名称のＲＯＣ特許出願第９３１０７６２１号、２００４年４月２９日付けの同じ出願人の「合成音場を含むイヤホン構造」（ＥＡＲＰＨＯＮＥ  ＳＴＲＵＣＴＵＲＥ  ＷＩＴＨ  Ａ  ＣＯＭＰＯＳＩＴＥ  ＳＯＵＮＤ  ＦＩＥＬＤ）という名称の延長出願、ＲＯＣ特許出願第９３１１１９８５号、および２００４年６月９日付けの同じ出願人の「合成音場を含むイヤホン構造」（ＥＡＲＰＨＯＮＥ  ＳＴＲＵＣＴＵＲＥ  ＷＩＴＨ  Ａ  ＣＯＭＰＯＳＩＴＥ  ＳＯＵＮＤ  ＦＩＥＬＤ）という名称の米国特許出願第１０／７０９，９５６号に、合成音場を含むイヤホン構造が開示されている。これらすべての開示は参照により本明細書に組み込むものとする。本出願人は、本明細書において、上記出願に開示されている合成音場および本実施形態に記載する合成音響効果は、すべて本発明のイヤホンに適していると主張する。
【００３６】
イヤホン３００Ｂと図３（Ａ）のイヤホンとの間の違いは、図３（Ａ）の外部チューブ３７５が、イヤホン本体３１０のケース拡張ユニット３１５上に位置している点である。一方、本実施形態の場合には、外部チューブ３７５は、イヤホン本体３１０のケース３１１上に位置していて、直接合成チャンバ３３３から延びている。イヤホン３００Ｂのケース３１１、カバー３１３、およびケース拡張ユニット３１５は、一緒に主チャンバを形成し、合成チャンバ３３３および外部チューブ３７５内の空間を調整することにより、空間音響効果が改善される。さらに、この実施形態の外部チューブ内の空間は、外部チューブの長さを変化させることにより調整される。
【００３７】
この実施形態のイヤホン３００Ｂ内においては、サブスピーカ３４０Ｂおよび３５０は、それぞれ合成チャンバ３３３の両方の側壁上の外部チューブ３３５および３３７上に位置する。空間音響効果は外部チューブ３３５および３３７内の空間を調整することにより改善される。この実施形態の場合には、これら追加の外部チューブ３３５および３３７の長さを一定にすることもできるし、物理設計要件に基づいて調整できるようにすることもできるし、折り曲げることもできる。
【００３８】
上記外部チューブを有するイヤホン３００Ｂの他に、本発明の他の実施形態の場合は、イヤホン３００Ｂは、また、バランス音場の効果を提供する。バランス音場効果を有するイヤホン３００Ｂは、ＤＶＤプレーヤから５．１チャネル音源が供給する音源のうちの任意の１つを同時に２つ以上のスピーカに供給する。これら２つのスピーカのうちの一方は内部チャンバ内のスピーカ・ホルダ上に位置していて、他方のスピーカは外部チューブ内に位置している。例えば、サブスピーカ３４０Ａは、イヤホン３００Ｂのケース３１１内に位置していて、他方のサブスピーカ３４０Ｂは合成チャンバ３３３上の外部チューブ３３５上に位置する。
【００３９】
サブスピーカ３４０Ａおよび３４０Ｂは、５．１チャネルのサラウンド音源に結合していて、サブスピーカ３５０は、５．１チャネルの中央音源に結合していて、サブスピーカ３６０は、５．１チャネルのサブウーハに結合している。このような配置になっているために、音場は、これら２つ以上のサブスピーカ３４０Ａおよび３４０Ｂにより形成される。これらサブスピーカは、スピーカの音点および角度または物理的位置の違いに基づいて同じ音源に結合していて、そのためこの音響信号が形成する音場が広くなり、もっと充実する。これらサブスピーカ３４０Ａおよび３４０Ｂは、並列または直列に音響信号に結合することができる。別の方法としては、これら２つ以上のスピーカを異なる位置および異なる角度で配置することにより、異なるレベルの音場を形成することもできる。
【００４０】
図３（Ｃ）は、本発明のもう１つの好ましい実施形態によるイヤホン３００Ｃの側面の概略部分分解断面図である。留意されたいのだが、図３（Ｃ）は本発明のイヤホンの１つの側面しか示してないが、当業者であれば図示していないイヤホンの他の側面も図３（Ｃ）に示すものと同じものであることを理解することができるだろう。それ故、ここでは詳細な説明は省略する。
【００４１】
図３（Ｃ）について説明すると、イヤホン３００Ｃは、イヤホン本体３１０およびコネクタ３２０を備える。この場合、コネクタ３２０は、イヤホン本体３１０を両方の側面で接続するために使用される（この図には１つの側面しか図示していない）。イヤホン本体３１０は、主として、ケース３１１と、カバー３１３と、ケース拡張ユニット３１５とを備える。ケース拡張ユニット３１５は、実際に、ケース３１１の拡張ユニットであり、カバー３１３に結合している。イヤホン本体３１０は、さらに、メインスピーカ３３０および複数のサブスピーカ３４０Ａ、３４０Ｂ、３５０および３６０を備える。これらスピーカはイヤホン本体３１０内に位置する。サブスピーカ３４０Ｂおよび３５０は、それぞれ、合成チャンバ３３３の両方の側壁上の外部チューブ３３５および３３７上に位置する。別の方法としては、サブスピーカ３４０Ｂおよび３５０を、それぞれ合成チャンバ３３３の両方の側壁上に直接配置することもできる。さらに、この実施形態は、サブスピーカ３６０が位置する外部チューブ３３９を備える。
【００４２】
イヤホン３００Ｃと図３（Ｂ）のイヤホンとの間の違いは、外部チューブ３３９が、サブスピーカ３６０がケース３１１上に位置するように、合成チャンバ３３３から直接延びていることである。イヤホン３００Ｃのケース３１１、カバー３１３、およびケース拡張ユニット３１５は、一緒に主チャンバを形成し、合成チャンバ３３３および外部チューブ３３５、３３７および３３９内の空間を調整することにより、空間音響効果が改善される。さらに、これら追加の外部チューブ３３５、３３７および３３９の長さは、一定の長さにすることもできるし、物理設計要件に基づいて調整することもできるし、折り曲げることもできる。
【００４３】
図４（Ａ）は、本発明のもう１つの好ましい実施形態によるイヤホン４００Ａの側面の概略部分分解断面図である。留意されたいのだが、図４（Ａ）は本発明のイヤホンの１つの側面しか示してないが、当業者であれば図示していないイヤホンの他の側面も図４（Ａ）に示すものと同じものであることを理解することができるだろう。それ故、ここでは詳細な説明は省略する。
【００４４】
図４（Ａ）について説明すると、イヤホン４００Ａは、イヤホン本体４１０およびコネクタ４２０を備える。この場合、コネクタ４２０は、イヤホン本体４１０を両方の側面で接続するために使用される（この図には１つの側面しか図示していない）。イヤホン本体４１０は、主として、ケース４１１と、カバー４１３と、ケース拡張ユニット４１５とを備える。イヤホン本体４１０は、さらに、メインスピーカ４３０および複数のサブスピーカ４４０、４５０Ａ、４５０Ｂ、および４６０を備える。これらスピーカはイヤホン本体４１０内に位置する。さらに、この実施形態は、サブスピーカ４６０および４５０Ｂが位置する外部チューブ４７５および４８５を備える。
【００４５】
すでに説明したように、イヤホン４００Ａ内には、イヤホン本体４１０のケース拡張ユニット４１５上に位置する１つの外部チューブ４７５だけを有することができる。イヤホン４００Ａのケース４１１、カバー４１３およびケース拡張ユニット４１５は、一緒に主チャンバを形成し、空間音響効果は、外部チューブ４７５内の空間を調整することにより改善される。図４（Ａ）の実施形態と図３（Ａ）の実施形態との間の違いは、この実施形態の外部チューブ４７５内の空間が、外部チューブ４７５を折り曲げることにより調整することができるという点である。すでに説明したように、本実施形態のイヤホン４００Ａは、さらに、イヤホン本体４１０のケース拡張ユニット４１５上に位置するもう１つの外部チューブ４８５を備える。イヤホン４００Ａのケース４１１、カバー４１３、およびケース拡張ユニット４１５は、一緒に主チャンバを形成し、空間音響効果は、外部チューブ４８５内の空間を調整することにより改善される。この実施形態の場合には、この追加の外部チューブ４８５の長さは、一定の長さにすることもできるし、物理設計要件に基づいて調整することもできるし、折り曲げることもできる。
【００４６】
この実施形態のイヤホン４００Ａにおいては、図４（Ａ）のサブスピーカ４６０のようなＤＶＤプレーヤの５．１チャネルが供給する信号エンティティのうちの任意の１つを独立して引き出して、外部チューブ４７５上に設置することができ、折り曲げることができる外部チューブが形成する内部チャンバ内の空間は、外部チューブを異なる角度に曲げることにより調整される。イヤホン４００Ａに対して外部チューブを接近するように曲げれば曲げるほど、それが占める空間が小さくなる。この実施形態のイヤホン４００Ａのこの追加の外部チューブ４８５上には、図４（Ａ）のサブスピーカ４５０Ｂのような、ＤＶＤプレーヤの５．１チャネルが供給する信号エンティティのうちの任意の１つを独立して引き出して、外部チューブ４８５上に配置することができる。
【００４７】
上記外部チューブを有するイヤホン４００Ａの他に、本発明のもう１つの実施形態は、さらに、バランス音場の効果を有するイヤホン４００Ａも提供する。バランス音響効果を有するイヤホン４００Ａは、ＤＶＤプレーヤから５．１チャネル音源が供給する音源のうちの任意の１つを同時に２つ以上のスピーカに結合する。これら２つのスピーカのうちの一方は内部チャンバ内のスピーカ・ホルダ上に位置していて、他方のスピーカは外部チューブ内に位置している。例えば、サブスピーカ４５０Ａは、イヤホン４００Ａのケース４１１の内部に位置していて、他のサブスピーカ４５０Ｂは、ケースに結合している外部チューブ４８５上に位置する。
【００４８】
このような配置になっているために、音場は、これら２つ以上のサブスピーカ４５０Ａおよび４５０Ｂにより形成される。これらサブスピーカは、スピーカの音点および角度または物理的位置の違いに基づいて、同じ音源に結合していて、そのためこの音響信号が形成する音場が広くなり、もっと充実する。これらサブスピーカ４５０Ａおよび４５０Ｂは、並列または直列に音響信号に結合することができる。別の方法としては、これら２つ以上のスピーカを異なる位置および異なる角度で配置することにより、異なるレベルの音場を形成することができる。
【００４９】
図４（Ｂ）は、本発明のもう１つの好ましい実施形態によるイヤホン４００Ｂの側面の概略部分分解断面図である。留意されたいのだが、図４（Ｂ）は本発明のイヤホンの１つの側面しか示してないが、当業者であれば図示していないイヤホンの他の側面も図４（Ｂ）に示すものと同じものであることを理解することができるだろう。それ故、ここでは詳細な説明は省略する。
【００５０】
図４（Ｂ）について説明すると、イヤホン４００Ｂは、イヤホン本体４１０およびコネクタ４２０を備える。この場合、コネクタ４２０は、イヤホン本体４１０を両方の側面で接続するために使用される（この図には１つの側面しか図示していない）。イヤホン本体４１０は、主として、ケース４１１と、カバー４１３と、ケース拡張ユニット４１５とを備える。イヤホン本体４１０は、さらに、メインスピーカ４３０および複数のサブスピーカ４４０Ａ、４４０Ｂ、４５０および４６０を備える。これらスピーカはイヤホン本体４１０内に位置する。サブスピーカ４４０Ｂおよび４５０は、それぞれ合成チャンバ４３３の両方の側壁上の外部チューブ４３５および４３７上に位置する。さらに、この実施形態には、サブスピーカ４６０が位置する外部チューブ４７５が位置する。
【００５１】
イヤホン４００Ｂと図４（Ａ）のイヤホンとの間の違いは、図４（Ａ）の外部チューブ４７５が、イヤホン本体４１０のケース拡張ユニット４１５上に位置することである。一方、この実施形態の場合には、外部チューブ４７５は、イヤホン本体４１０のケース４１１上に位置していて、チャンバは、イヤホン本体４１０内の合成チャンバ４３３の延長部である。イヤホン４００Ｂのケース４１１、カバー４１３、およびケース拡張ユニット４１５は、一緒に主チャンバを形成し、空間音響効果は、外部チューブ４７５内の空間を調整することにより改善される。このことは、外部チューブ４７５内の空間が、この実施形態の角度とは異なる角度で外部チューブを折り曲げることにより調整することができるという点で図３（Ｂ）の実施形態とは異なる。
【００５２】
すでに説明したように、この実施形態のイヤホン４００Ｂの内部には、合成チャンバ４３３の両方の側壁が、ケース４１１から外部チューブ４３５および４３７の方に延びる。イヤホン４００Ｂのケース４１１、カバー４１３は、一緒に主チャンバを形成し、空間音響効果は外部チューブ４３５および４３７内の空間を調整することにより改善される。この実施形態の場合には、この追加の外部チューブ４３５および４３７の長さは一定の長さにすることもできるし、物理設計要件に基づいて調整することもできるし、折り曲げることもできる。
【００５３】
この実施形態のイヤホン４００Ｂにおいては、図４（Ｂ）のサブスピーカ４６０のようなＤＶＤプレーヤの５．１チャネルが供給する信号エンティティのうちの任意の１つを独立して引き出して、外部チューブ４７５上に設置することができ、折り曲げることができる外部チューブが形成する内部チャンバ内の空間は、外部チューブを異なる角度に曲げることにより調整される。イヤホン４００Ｂの方向により近く外部チューブを接近して折り曲げると、それが占める空間が小さくなる。この実施形態のイヤホン４００Ｂの合成チャンバ４３３の両方の側壁から延びる外部チューブ４３５および４３７上には、図４（Ｂ）のサブスピーカ４４０Ｂおよび４５０のようなＤＶＤプレーヤの５．１チャネルが供給する信号エンティティのうちの任意の１つを独立して引き出して、それぞれ外部チューブ４３５および４３７上に配置することができる。
【００５４】
上記の外部チューブを有するイヤホン４００Ｂの他に、本発明のもう１つの実施形態は、さらにバランス音場の効果を有するイヤホン４００Ｂを提供する。バランス音場効果を有するイヤホン４００Ｂは、ＤＶＤプレーヤからの５．１チャネル音源が供給する音源のうちの任意の１つを同時に２つ以上のスピーカに結合する。これら２つのスピーカのうちの一方は内部チャンバ内のスピーカ・ホルダ上に位置していて、他方のスピーカは外部チューブ内に位置している。例えば、サブスピーカ４４０Ａは、イヤホン４００Ｂのケース４１１内に位置していて、他のサブスピーカ４４０Ｂは、合成チャンバ４３３に結合している外部チューブ４３５上に位置する。サブスピーカ４４０Ａおよび４４０Ｂは、５．１チャネルのサラウンド音源に結合していて、サブスピーカ４５０は、５．１チャネルの中央の音源に結合していて、サブスピーカ４６０は、５．１チャネルのサブウーハに結合している。
【００５５】
このような配置になっているために、音場は、これら２つ以上のサブスピーカ４４０Ａおよび４４０Ｂにより形成される。これらスピーカは、スピーカの音点および角度または物理的位置の違いに基づいて、同じ音源に結合していて、そのためこの音響信号が形成する音場が広くなり、もっと充実する。これらサブスピーカ４４０Ａおよび４４０Ｂは、並列または直列に音響信号に結合することができる。別の方法としては、これら２つ以上のスピーカを異なる位置および異なる角度で配置することにより、異なるレベルの音場を形成することもできる。
【００５６】
図５（Ａ）は、本発明のもう１つの好ましい実施形態によるイヤホン５００Ａの側面の概略部分分解断面図である。留意されたいのだが、図５（Ａ）は本発明のイヤホンの１つの側面しか示してないが、当業者であれば図示していないイヤホンの他の側面も図５（Ａ）に示すものと同じものであることを理解することができるだろう。それ故、ここでは詳細な説明は省略する。
【００５７】
図５（Ａ）について説明すると、イヤホン５００Ａは、イヤホン本体５１０およびコネクタ５２０を備える。この場合、コネクタ５２０は、イヤホン本体５１０を両方の側面で接続するために使用される（この図には１つの側面しか図示していない）。イヤホン本体５１０は、主として、ケース５１１と、カバー５１３と、ケース拡張ユニット５１５とを備える。イヤホン本体５１０は、さらに、メインスピーカ５３０および複数のサブスピーカ５４０、５５０Ａを備える。これらのスピーカはイヤホン本体５１０内に位置する。さらに、この実施形態は、サブスピーカ５５０Ｂが位置する外部チューブ５６５を備える。代替的に、この実施形態はさらに外部チューブ５７４に結合している内部チャンバ５７０を備えることができ、その詳細については、以下に説明する。
【００５８】
すでに説明したように、イヤホン５００Ａ内においては、イヤホン本体５１０のケース拡張ユニット５１５上に位置する１つの外部チューブ５６５だけを有することができる。イヤホン５００Ａのケース５１１およびカバー５１３は、一緒に主チャンバを形成し、空間音響効果は、外部チューブ５６５内の空間を調整することにより改善される。さらに、この実施形態の外部チューブ内の空間は、外部チューブの長さを変化させることにより調整される。
【００５９】
この実施形態のイヤホン５００Ａにおいては、図５（Ａ）のサブスピーカ５５０ＢのようなＤＶＤプレーヤの５．１チャネルが供給する信号エンティティのうちの任意の１つを独立して引き出して、外部チューブ５６５上に設置することができ、長さを調整することができる外部チューブが形成する内部チャンバ内の空間は、外部チューブの長さを変化させることにより調整される。外部チューブが短くなればなるほど、それがイヤホン５００Ａ内に占める空間が小さくなる。外部チューブが長くなればなるほど、全イヤホン５００Ａが供給する音場の空間が広くなる。さらに、外部チューブの長さを長くすると、空間音響効果が改善されるように、信号エンティティのうちの１つを独立して引き出して、内部チャンバ上に設置することができる。
【００６０】
上記外部チューブを有するイヤホン５００Ａの他に、本発明のもう１つの実施形態は、さらに、バランス音場の効果を有するイヤホン５００Ａも提供する。バランス音響効果を有するイヤホン５００Ａは、ＤＶＤプレーヤからの５．１チャネル音源が供給する音源のうちの任意の１つを同時に２つ以上のスピーカに結合する。これら２つのスピーカのうちの一方は内部チャンバ内のスピーカ・ホルダ上に位置していて、他方のスピーカは外部チューブ内に位置している。例えば、サブスピーカ５５０Ａは、イヤホン５００Ａのケース５１１内に位置していて、他のサブスピーカ５５０Ｂは、ケース拡張ユニット５１５に結合している外部チューブ５６５上に位置する。
【００６１】
このような配置になっているために、音場は、これら２つ以上のサブスピーカ５５０Ａおよび５５０Ｂにより形成される。これらスピーカは、スピーカの音点および角度または物理的位置の違いに基づいて、同じ音源に結合していて、そのためこの音響信号が形成する音場が広くなり、もっと充実する。これらサブスピーカ５５０Ａおよび５５０Ｂは、並列または直列に音響信号に結合することができる。別の方法としては、これら２つ以上のスピーカを異なる位置および異なる角度で配置することにより、異なるレベルの音場を形成することができる。
【００６２】
上記外部チューブを有するイヤホンの他に、この実施形態はさらに音場を分割する機能を有するイヤホン５００Ａも提供する。外部チューブ５７４は、外部でイヤホン本体５１０のケース拡張ユニット５１５に結合している。内部チャンバ５７０は、外部チューブ５７４の最も外側の縁部上に形成されていて、チャンバ５７２は、内部チャンバ５７０内に形成されている。この実施形態の場合には、ＤＶＤプレーヤから５．１チャネル音源が供給する信号エンティティのうちの任意の１つは、チャンバ内で共振が起こるように、内部チャンバ５７０のカバー上に任意の角度および方向で配置することができる。
【００６３】
本発明のある実施形態の場合には、湾曲チューブ５８２が、チャンバ５７２内で共振が直接起こらないように、さらに内部チャンバ５７０のケース上に結合している。それ故、ＤＶＤプレーヤの５．１チャネルが供給する内部チャンバのケース上の音源は、５．１チャネルが形成する主音場から引き離される。湾曲チューブ５８２の角度は１０乃至１８０度であり、好適には、音場の位相を容易に調整することができるように約９０度であることが好ましい。この実施形態のイヤホン５００Ａにおいては、図５（Ａ）のサブスピーカ５８０のようなＤＶＤプレーヤの５．１チャネルが供給する信号エンティティのうちの任意の１つを独立して引き出して、湾曲チューブ５８２の外縁部上に配置することができる。この実施形態のイヤホン５００Ａにおいては、共振空洞はイヤホン本体５１０の外側に形成されていて、共振空洞は湾曲チューブ５８２により調整される。全構造において、共振空洞内の音波は、外部チューブ５７４を通して空気媒体と一緒にケース５１１内の主音場に送られる。
【００６４】
すでに説明したように、本発明のイヤホンは、ケース上に位置する外部チューブを備える。さらに、イヤホンのケースおよびカバーは、一緒に内部チャンバを形成していて、外部チューブ内の空間を調整することにより、空間音響効果が改善され、音場の位相がさらに調整される。
【００６５】
図５（Ｂ）は、本発明のもう１つの好ましい実施形態によるイヤホン５００Ｂの側面の概略部分分解断面図である。留意されたいのだが、図５（Ｂ）は本発明のイヤホンの１つの側面しか示してないが、当業者であれば図示していないイヤホンの他の側面も図５（Ｂ）に示すものと同じものであることを理解することができるだろう。それ故、ここでは詳細な説明は省略する。
【００６６】
図５（Ｂ）について説明すると、イヤホン５００Ｂは、イヤホン本体５１０およびコネクタ５２０を備える。この場合、コネクタ５２０は、イヤホン本体５１０を両方の側面で接続するために使用される（この図には１つの側面しか図示していない）。イヤホン本体５１０は、主として、ケース５１１と、カバー５１３と、ケース拡張ユニット５１５とを備える。イヤホン本体５１０は、さらに、メインスピーカ５３０および複数のサブスピーカ５４０Ａ、５４０Ｂ、５６０および５７０を備える。これらスピーカはイヤホン本体５１０内に位置する。サブスピーカ５４０Ｂは、合成チャンバ５３３の側壁から延びる外部チューブ５６５上に位置する。さらに、この実施形態は、サブスピーカ５６０が位置する外部チューブ５６５を備える。この実施形態は、さらに外部チューブ５３７に結合している内部チャンバ５７０を備える。これについては以下にさらに詳細に説明する。
【００６７】
イヤホン５００Ｂと図５（Ａ）のイヤホンとの間の違いは、図５（Ａ）の外部チューブ５６５および５３７が、イヤホン本体５１０のケース拡張ユニット５１５上に位置している点である。一方、本実施形態の場合には、外部チューブ５６５および５３７は、イヤホン本体５１０のケース５１１上に位置していて、イヤホン本体５１０内の合成チャンバ５３３から延びている。
【００６８】
すでに説明したように、イヤホン５００Ｂにおいては、イヤホン本体５１０のケース５１１上に位置する１つの外部チューブ５６５だけを有することができる。イヤホン５００Ｂのケース５１１およびカバー５１３は、一緒に主チャンバを形成し、空間音響効果は、外部チューブ５６５内の空間を調整することにより改善される。さらに、この実施形態の外部チューブ内の空間は、外部チューブの長さを変化させることにより調整される。
【００６９】
この実施形態のイヤホン５００Ｂにおいては、図５（Ｂ）のサブスピーカ５６０のようなＤＶＤプレーヤの５．１チャネルが供給する信号エンティティのうちの任意の１つを独立して引き出して、外部チューブ５６５上に設置することができ、長さを調整することができる外部チューブが形成する内部チャンバ内の空間は、外部チューブの長さを変化させることにより調整される。外部チューブが短くなればなるほど、それがイヤホン５００Ｂ内に占める空間が小さくなる。外部チューブが長くなればなるほど、全イヤホン５００Ｂが供給する音場の空間が広くなる。さらに、外部チューブの長さを長くすると、空間音響効果が改善されるように、信号エンティティのうちの１つを独立して引き出して、内部チャンバ上に設置することができる。
【００７０】
上記外部チューブを有するイヤホン５００Ｂの他に、本発明のもう１つの実施形態は、さらに、バランス音場の効果を有するイヤホン５００Ｂも提供する。バランス音響効果を有するイヤホン５００Ｂは、ＤＶＤプレーヤからの５．１チャネル音源が供給する音源のうちの任意の１つを同時に２つ以上のスピーカに結合する。これら２つのスピーカのうちの一方は内部チャンバ内のスピーカ・ホルダ上に位置していて、他方のスピーカは外部チューブ内に位置している。例えば、サブスピーカ５４０Ａは、イヤホン５００Ｂのケース５１１の内部に位置していて、他のサブスピーカ５４０Ｂは、合成チャンバ５３３の側壁から延びる外部チューブ５３５上に位置する。
【００７１】
このような配置になっているために、音場は、これら２つ以上のサブスピーカ５４０Ａおよび５４０Ｂにより形成される。これらスピーカは、スピーカの音点および角度または物理的位置の違いに基づいて同じ音源に結合していて、そのためこの音響信号が形成する音場が広くなり、もっと充実する。これらサブスピーカ５４０Ａおよび５４０Ｂは、並列または直列に音響信号に結合することができる。別の方法としては、これら２つ以上のスピーカを異なる位置および異なる角度で配置することにより、異なるレベルの音場を形成することができる。
【００７２】
上記外部チューブを有するイヤホンの他に、この実施形態はさらに音場を分割する機能を有するイヤホン５００Ｂも提供する。外部チューブ５３７は、イヤホン本体５１０の合成チャンバ５３３の側壁から延びる。内部チャンバ５７０は、外部チューブ５３７の最も外側の縁部上に形成されていて、チャンバ５７２は内部チャンバ５７０内に形成されている。この実施形態の場合には、ＤＶＤプレーヤから５．１チャネル音源が供給する信号エンティティのうちの任意の１つをチャンバ内で共振が起こるように、内部チャンバ５７０のカバー上に任意の角度および方向で配置することができる。
【００７３】
本発明のある実施形態の場合には、湾曲チューブ５８４が、チャンバ５７２内で共振が直接起こらないように、さらに内部チャンバ５７０のケース上に結合している。それ故、ＤＶＤプレーヤの５．１チャネルが供給する内部チャンバのケース上の音源は、５．１チャネルが形成する主音場から引き離される。湾曲チューブ５８４の角度は１０乃至１８０度であり、好適には、音場の位相を容易に調整することができるように約９０度であることが好ましい。この実施形態のイヤホン５００Ｂにおいては、図５（Ｂ）のサブスピーカ５８０のような、ＤＶＤプレーヤの５．１チャネルが供給する信号エンティティのうちの任意の１つを独立して引き出して、湾曲チューブ５８４の外縁部上に配置することができる。この実施形態のイヤホン５００Ｂにおいては、共振空洞はイヤホン本体５１０の外側に形成されていて、共振空洞は湾曲チューブ５８４により調整される。全構造において、共振空洞内の音波は外部チューブ５３７を通して空気媒体と一緒にケース５１１内の主音場に送られる。
【００７４】
すでに説明したように、本発明のイヤホンは、ケース上に位置する外部チューブを備える。さらに、イヤホンのケースおよびカバーは、一緒に内部チャンバを形成していて、外部チューブ内の空間を調整することにより、空間音響効果が改善され、音場の位相がさらに調整される。
【００７５】
上記イヤホンにおいては、外部チューブを有する図５（Ａ）のイヤホン５００Ａおよび図５（Ｂ）のイヤホン５００Ｂの他に、本発明のもう１つの実施形態は、さらにバランス音場の効果を有するイヤホンも提供する。バランス音響効果を有するイヤホンは、ＤＶＤプレーヤから５．１チャネル音源が供給する音源のうちの任意の１つを同時に２つ以上のスピーカに結合する。これら２つのスピーカのうちの一方は内部チャンバ内のスピーカ・ホルダ上に位置していて、他方のスピーカは外部チューブ内に位置している。このような配置になっているために、音場は、２つ以上のスピーカにより形成される。これらスピーカは、スピーカの音点および角度または物理的位置の違いに基づいて、同じ音源に結合していて、そのためこの音響信号が形成する音場が広くなり、もっと充実する。これら２つ以上のスピーカは、並列または直列に音響信号に結合することができる。別の方法としては、これら２つ以上のスピーカを異なる位置および異なる角度で配置することにより、異なるレベルの音場を形成することができる。例えば、サブスピーカ５４０Ａはイヤホン５００Ａのケース５１１内に位置していて、他のサブスピーカ５４０Ｂは合成チャンバ５３３の両方の側壁から延びる外部チューブ５３５上に位置する。
【００７６】
上記外部チューブを有するイヤホンの他に、本発明のある実施形態はさらに音場を分割する機能を有するイヤホンも提供する。チューブは、外部でイヤホン本体に結合していて、内部チャンバは、チューブの最も外側の縁部上に形成されている。それ故、ＤＶＤプレーヤから５．１チャネル音源が供給する信号エンティティのうちの任意の１つを、チャンバ内で共振が起こるように、内部チャンバのカバー上に任意の角度および方向で配置することができる。本発明のもう１つの実施形態の場合には、湾曲チューブが、チャンバ内で共振が直接起こらないように、さらに内部チャンバのケース上に結合している。それ故、ＤＶＤプレーヤの５．１チャネルが供給する内部チャンバのケース上の音源は、５．１チャネルが形成する主音場から引き離される。すなわち、この実施形態のイヤホンにおいては、共振空洞は本体のカバー上に形成され、共振空洞内の音波は、外部チューブを通して空気媒体と一緒にケース内の主音場に送られる。
【００７７】
特定の実施形態を参照しながら本発明について説明してきたが、当業者であれば、本発明の精神から逸脱することなしに、上記実施形態を種々に修正することができることを理解することができるだろう。それ故、本発明の範囲は上記の詳細な説明によってではなく、添付の特許請求の範囲により定義される。
【図面の簡単な説明】
【００７８】
【図１】５．１チャネル・スピーカを有するホーム・シアターの略図である。
【図２（Ａ）】従来のイヤホンの概略側断面図である。
【図２（Ｂ）】もう１つの従来のイヤホンの概略側断面図である。
【図３（Ａ）】本発明のある実施形態によるイヤホン３００Ａの側面の概略部分分解断面図である。
【図３（Ｂ）】本発明のある実施形態によるイヤホン３００Ｂの側面の概略部分分解断面図である。
【図３（Ｃ）】本発明のもう１つの実施形態によるイヤホン３００Ｃの側面の概略部分分解断面図である。
【図４（Ａ）】本発明のさらにもう１つの実施形態によるイヤホン４００Ａの側面の概略部分分解断面図である。
【図４（Ｂ）】本発明のさらにもう１つの実施形態によるイヤホン４００Ｂの側面の概略部分分解断面図である。
【図５（Ａ）】本発明のさらにもう１つの実施形態によるイヤホン５００Ａの側面の概略部分分解断面図である。
【図５（Ｂ）】本発明のさらにもう１つの実施形態によるイヤホン５００Ｂの側面の概略部分分解断面図である。
【符号の説明】
【００７９】
３００Ａ，３００Ｂ，３００Ｃ，４００Ａ，４００Ｂ  イヤホン
３１０，４１０  イヤホン本体
３１１，４１１  ケース
３１３，４１３  カバー
３１５，４１５  ケース拡張ユニット
３２０，４２０  コネクタ
３３０，４３０  メインスピーカ
３３３  合成チャンバ
３４０，３４０Ａ，３４０Ｂ，３５０，３６０，３６０Ａ，３６０Ｂ，４４０，４４０Ａ，４４０Ｂ，４５０Ａ，４５０Ｂ，４６０  サブスピーカ
３３５，３３７，３３９，３７５，３８５，４７５，４８５  外部チューブ
【図１】
2005278177.tif 000003
【図２（Ａ）】
2005278177.tif 000004
【図２（Ｂ）】
2005278177.tif 000005
【図３（Ａ）】
2005278177.tif 000006
【図３（Ｂ）】
2005278177.tif 000007
【図３（Ｃ）】
2005278177.tif 000008
【図４（Ａ）】
2005278177.tif 000009
【図４（Ｂ）】
2005278177.tif 000010
【図５（Ａ）】
2005278177.tif 000011
【図５（Ｂ）】
2005278177.tif 000012
【外国語明細書】
2005278177000001.pdf